(57)【要約】【課題】  被検者の乳房の垂下状態にかかわらず、被検者の乳房全体を自由垂下状態で診断することが可能な乳房検査用核医学診断装置およびこの乳房検査用核医学診断装置に使用される乳房検査用核医学診断装置用距離調整装置を提供する。【解決手段】  被検者の乳房が放射線検出部５における放射線の検出範囲９内に収まらない場合においては、載置部１上に、第１パート１１、第２パート１２および第３パート１３から構成される距離調整部材を載置した上で、この距離調整部材上において被検者Ｍを腹臥位とする。そして、被検者Ｍの乳房を、第２パート１２に形成された開口部を介して、放射線検出部５における放射線の検出範囲９まで垂下させる。【選択図】        図７
2019105539.tif 000002
【特許請求の範囲】
【請求項１】
開口部が形成された載置部と、
被検者が前記載置部上において腹臥位となった状態で前記載置部の開口部から垂れる前記被検者の乳房の周囲に配設される放射線検出部と、
を備えた乳房検査用核医学診断装置において、
前記載置部上に配置されたときに前記載置部の開口部と連接する開口部が形成され、前記載置部上に載置されることにより前記放射線検出部と前記被検者との距離を変更する距離調整部材を備えたことを特徴とする乳房検査用核医学診断装置。
【請求項２】
請求項１に記載の乳房検査用核医学診断装置において、
前記距離調整部材は、前記被検者の体軸方向に対して複数のパートに分割される乳房検査用核医学診断装置。
【請求項３】
請求項２に記載の乳房検査用核医学診断装置において、
前記距離調整部材の各パートを互いに連結する連結部材を備える乳房検査用核医学診断装置。
【請求項４】
請求項３に記載の乳房検査用核医学診断装置において、
前記距離調整部材のうちの一つのパートは、前記被検者の頭部を載置するためのものであり、
前記被検者の頭部を載置するためのパートは、前記載置部に形成された凹部に係合可能である乳房検査用核医学診断装置。
【請求項５】
請求項１から請求項４のいずれかに記載の乳房検査用核医学診断装置において、
前記距離調整部材に形成された開口部の内径は、前記載置部に形成された開口部の内径より大きい乳房検査用核医学診断装置。
【請求項６】
開口部が形成された載置部と、
被検者が前記載置部上において腹臥位となった状態で前記載置部の開口部から垂れる前記被検者の乳房の周囲に配設される放射線検出部と、
を備えた乳房検査用核医学診断装置において使用される調整装置であって、
前記載置部上に配置されたときに前記載置部の開口部と連接する開口部が形成され、前記載置部上に載置され得ることにより前記放射線検出部と前記被検者との距離を変更することを特徴とする乳房検査用核医学診断装置用距離調整装置。
【発明の詳細な説明】
【技術分野】
【０００１】
この発明は、放射性薬剤が投与された被検者の乳房から発生した放射線に基づいて核医学用データを取得する乳房検査用核医学診断装置およびこの乳房検査用核医学診断装置に使用される乳房検査用核医学診断装置用距離調整装置に関する。
【背景技術】
【０００２】
このような乳房検査用核医学診断装置においては、あらかじめ放射性薬剤を投与した被検者の乳房を、トンネル状の検査空間が形成されたリング状の放射線検出部に挿入し、被検者の乳房から放射される例えば５１１ｋｅＶの対消滅光子を放射線検出部により検出する。そして、その光子を検出した時刻を測定し、放射線検出部における２個の検出器での検出時刻差が一定時間以内の場合にそれを一対の対消滅光子として計数し、さらに、対消滅発生地点を検出した検出器対の直線上の位置であると特定する。このようにして得たエミッションデータを蓄積し、蓄積したエミッションデータを用いて画像再構成を行なうことによりＰＥＴ画像を取得する。そして取得したＰＥＴ画像をモニターに表示するとともに、病院内のサーバに転送する。
【０００３】
このような乳房検査用核医学診断装置においては、被検者の乳房に対して放射線検出部を位置決めする方法として、被検者を寝台または椅子等において一定の位置に固定した後、放射線検出部を被検者に対して近接させて位置決めする方法と、放射線検出部を固定しておき、その放射線検出部に対して被検者の乳房を挿入して位置決めする方法の二種類の方法がある。
【０００４】
特許文献１においては、被検者の乳房を挿入する開口部が形成されたテーブルトップ上に被検者を載置し、被検者の乳房を、開口部を介して垂れ下がった状態とすることにより、Ｘ線撮像機器に近接させて位置決めする医療処置を行うためのテーブルが開示されている。この特許文献１に記載されたテーブルにおいては、被検者の乳房の大きさに基づき、より大きな、または、より小さな直径の開口を有する代替的なインサートを選択して使用する構成となっている。
【先行技術文献】
【特許文献】
【０００５】
【特許文献１】特開２０１６−１８５３４９号公報
【発明の概要】
【発明が解決しようとする課題】
【０００６】
このような乳房検査用核医学診断装置に使用されるリング状の放射線検出部は、放射線の検出範囲が一定の領域として設定されている。このため、被検者の乳房を検出範囲内に配置して画像の撮影を実行する必要がある。このとき、上述したように放射線検出部を被検者に対して近接させて位置決めする方法を採用した場合においては、被検者の乳房の形状が様々であっても、放射線検出部を移動させることによりこれに対応することができる。これに対して、特許文献１に記載されたように、被検者の乳房を垂れ下がった状態としてＸ線撮像機器による放射線の検出範囲に設置する乳房検査用核医学診断装置においては、被検者の体格や年齢による乳房の下垂により、乳房全体を検査することが不可能となる。
【０００７】
このため、このような乳房検査用核医学診断装置において、被検者の乳房が検出範囲外となるときに、乳房を下方から支持することも考えられるが、このような構成とした場合には、乳房が変形し、自由下垂状態での検査を実行することができないことになる。自由下垂状態で検査を実行した場合には、乳頭の位置から乳房全体の形や乳腺の広がり等が分かり易くなり、病変の位置を同じ腹臥位で撮影するＭＲＩ等による形態的情報と比較しやすいという利点がある。このため、自由垂下状態での検査が不可能となると、このような利点を享受することができなくなる。
【０００８】
この発明は上記課題を解決するためになされたものであり、被検者の乳房の垂下状態にかかわらず、被検者の乳房全体を自由垂下状態で診断することが可能な乳房検査用核医学診断装置およびこの乳房検査用核医学診断装置に使用される乳房検査用核医学診断装置用距離調整装置を提供することを目的とする。
【課題を解決するための手段】
【０００９】
請求項１に記載の発明は、開口部が形成された載置部と、被検者が前記載置部上において腹臥位となった状態で前記載置部の開口部から垂れる前記被検者の乳房の周囲に配設される放射線検出部と、を備えた乳房検査用核医学診断装置において、前記載置部上に配置されたときに前記載置部の開口部と連接する開口部が形成され、前記載置部上に載置されることにより前記放射線検出部と前記被検者との距離を変更する距離調整部材を備えたことを特徴とする。
【００１０】
請求項２に記載の発明は、請求項１に記載の発明において、前記距離調整部材は、前記被検者の体軸方向に対して複数のパートに分割される。  
【００１１】
請求項３に記載の発明は、請求項２に記載の発明において、前記距離調整部材の各パートを互いに連結する連結部材を備える。
【００１２】
請求項４に記載の発明は、請求項３に記載の発明において、前記距離調整部材のうちの一つのパートは、前記被検者の頭部を載置するためのものであり、前記被検者の頭部を載置するためのパートは、前記載置部に形成された凹部に係合可能である。
【００１３】
請求項５に記載の発明は、請求項１から請求項４のいずれかに記載の発明において、前記距離調整部材に形成された開口部の内径は、前記載置部に形成された開口部の内径より大きい。
【００１４】
請求項６に記載の発明は、開口部が形成された載置部と、被検者が前記載置部上において腹臥位となった状態で前記載置部の開口部から垂れる前記被検者の乳房の周囲に配設される放射線検出部と、を備えた乳房検査用核医学診断装置において使用される調整装置であって、前記載置部上に配置されたときに前記載置部の開口部と連接する開口部が形成され、前記載置部上に載置され得ることにより前記放射線検出部と前記被検者との距離を変更することを特徴とする。
【発明の効果】
【００１５】
請求項１および請求項６に記載の発明によれば、放射線検出部と被検者との距離を調整することにより、被検者の乳房の垂下状態にかかわらず、被検者の乳房全体を自由垂下状態で診断することが可能となる。
【００１６】
請求項２に記載の発明によれば、距離調整部材の持ち運びが容易となるとともに、載置部に対する設置位置を調整することにより、被検者の体格の差異に柔軟に対応することが可能となる。
【００１７】
請求項３に記載の発明によれば、連結部材により各パートの位置ずれを防止することが可能となる。
【００１８】
請求項４に記載の発明によれば、頭部を載置するためのパートを載置部に固定して位置決めすることが可能となる。
【００１９】
請求項５に記載の発明によれば、載置部に対する距離調整部材の位置決めを厳密に行う必要がなくなり、検査を容易に実行することが可能となる。
【図面の簡単な説明】
【００２０】
【図１】この発明を適用する乳房検査用核医学診断装置の斜視図である。
【図２】乳房検査用核医学診断装置により被検者Ｍの検査を実行する様子を示す側面概要図である。
【図３】乳房検査用核医学診断装置により乳房が大きく垂下した被検者Ｍの検査を実行する様子を示す側面概要図である。
【図４】距離調整部材１０の斜視図である。
【図５】距離調整部材１０の側面図である。
【図６】載置部１上に距離調整部材１０を載置して被検者Ｍの検査を実行する様子を示す概要図である。
【図７】載置部１上に距離調整部材１０を載置して被検者Ｍの検査を実行する様子を示す側面概要図である。
【発明を実施するための形態】
【００２１】
以下、この発明の実施の形態を図面に基づいて説明する。図１は、この発明を適用する乳房検査用核医学診断装置の斜視図であり、図２は、この乳房検査用核医学診断装置により被検者Ｍの検査を実行する様子を示す側面概要図である。また、図３は、乳房検査用核医学診断装置により乳房が大きく垂下した被検者Ｍの検査を実行する様子を示す側面概要図である。
【００２２】
乳房検査用核医学診断装置は、例えば、マンモ用ＰＥＴ装置と呼称されるものであり、本体４の上部に、被検者Ｍを載置するための載置部１を配置した構成を有する。載置部１には、被検者Ｍの頭部が配置される凹部３と、被検者Ｍの乳房を垂下させるための開口部２とが形成されている。被検者Ｍが載置部１上において腹臥位となった状態において、載置部１の開口部２から垂下する被検者Ｍの乳房の周囲には、環状に配置された放射線検出部５が配設される。
【００２３】
この乳房検査用核医学診断装置においては、あらかじめ放射性薬剤を投与した被検者Ｍの乳房を、トンネル状の検査空間が形成されたリング状の放射線検出部５に挿入し、被検者Ｍの乳房から放射される５１１ｋｅＶの対消滅光子を放射線検出部５により検出する。そして、その光子を検出した時刻を測定し、放射線検出部５における２個の検出器での検出時刻差が一定時間以内の場合にそれを一対の対消滅光子として計数し、さらに、対消滅発生地点を検出した検出器対の直線上の位置であると特定する。このようにして得たエミッションデータをコンソール６に蓄積し、コンソール６において蓄積したエミッションデータを用いて画像再構成を行なうことによりＰＥＴ画像を取得する。そして取得したＰＥＴ画像をモニター７に表示するとともに、病院内ネットワーク８を介して病院内のサーバに転送する。
【００２４】
このとき、被検者Ｍの乳房は、自由垂下状態において、放射線検出部５における放射線の検出範囲９内に配置される必要がある。しかしながら、被検者Ｍの体格や年齢による乳房の垂下状態によっては、図３に示すように、被検者Ｍの乳房が放射線検出部５における放射線の検出範囲９内に収まらない場合がある。このような場合においては、被検者Ｍの乳房の全領域を検査することができないことから、核医学診断を適正に実行することが不可能となる。このため、この発明に係る乳房検査用核医学診断装置においては、距離調整部材１０が使用される。
【００２５】
図４は、距離調整部材１０の斜視図である。図５は、距離調整部材１０の側面図である。図６は、載置部１上に距離調整部材１０を載置して被検者Ｍの検査を実行する様子を示す概要図である。図７は、載置部１上に距離調整部材１０を載置して被検者Ｍの検査を実行する様子を示す側面概要図である。
【００２６】
この発明に係る距離調整部材１０は、第１パート１１、第２パート１２および第３パート１３から構成される。第１パート１１は、被検者Ｍの頭部を載置する部分である。第２パート１２は、主として、被検者Ｍの胴体領域を載置する部分である。第３パート１３は、被検者Ｍの脚部を載置する部分である。これらの第１パート１１、第２パート１２および第３パート１３は、この発明に係る連結部材として機能する面ファスナー１５、１６、１７、１８の作用により、互いに連結および分割することが可能となっている。
【００２７】
距離調整部材１０を構成する第１パート１１、第２パート１２および第３パート１３のうち、被検者Ｍの頭部を載置する第１パート１１は、載置部１に形成された凹部３と係合可能となっている。また、被検者Ｍの胴体領域等を載置する第２パート１２には、被検者Ｍの乳房を垂下させるための開口部１４が形成されている。この開口部１４の内径は、載置部１に形成された開口部２の内径より大きくなっている。さらに、第３パート１３の表面は、傾斜している。
【００２８】
距離調整部材１０を構成する第１パート１１、第２パート１２および第３パート１３は、例えば、ウレタンの周囲を合成皮革で覆った構成などの、軽量で柔らかい構成を有する。このため、距離調整部材１０を構成する第１パート１１、第２パート１２および第３パート１３の設置および移動が容易であり、これらを誤って被検者Ｍやオペレータの足の上等に落下させてもケガをするおそれがない。また、距離調整部材１０を構成する第１パート１１、第２パート１２および第３パート１３は、互いに連結および分割自在となっていることから、これらを分割した状態とすることにより、その設置作業および移動作業を容易に行うことができる。
【００２９】
なお、距離調整部材１０を構成する第１パート１１、第２パート１２および第３パート１３は、体格の大きな被検者Ｍを載置したときにも過度に変形しないように、例えば、６０ニュートン以上の硬さを有する。また、距離調整部材１０を構成する第１パート１１、第２パート１２および第３パート１３の少なくとも下面は、載置部１に対する摩擦係数が大きなものとなっている。このため、載置部１上における第１パート１１、第２パート１２および第３パート１３の移動を抑制することが可能となる。
【００３０】
図３に示すように、被検者Ｍの乳房が放射線検出部５における放射線の検出範囲９内に収まらない場合においては、図７に示すように、載置部１上に距離調整部材１０を載置した上で、この距離調整部材１０上において被検者Ｍを腹臥位とする。そして、被検者Ｍの乳房を、第２パート１２に形成された開口部１４を介して、放射線検出部５における放射線の検出範囲９まで垂下させる。
【００３１】
これにより、図３に示す状態において、被検者Ｍの乳房の領域のうち、放射線検出部５における放射線の検出範囲９内に配置されていなかった領域を検査することが可能となる。このため、図３に示す距離調整部材１０を使用しない状態と、図７に示す距離調整部材１０を使用した状態の両方で検査を行うことにより、被検者Ｍの乳房全域を、自由垂下状態で検査することが可能となる。
【００３２】
このとき、放射線検出部５や載置部１を移動させる必要がないことから、乳房検査用核医学診断装置の構成を簡易なものとすることができ、さらには、放射線検出部５や載置部１の移動に伴う被検者Ｍとの衝突や、被検者Ｍの身体の一部を移動する部材により挟持する可能性を排除することが可能となる。
【００３３】
ここで、上述したように、距離調整部材１０における第２パート１２に形成された開口部１４の内径は、載置部１に形成された開口部２の内径より大きくなっている。このため、載置部１上に第２パート１２を載置するときに、載置部１に形成された開口部２が距離調整部材１０における第２パート１２に形成された開口部１４のおおよそ中央部付近に配置されればよい。このため、載置部１に対する第２パート１２の位置決めを厳密に行う必要がなくなり、検査を容易に実行することが可能となる。
【００３４】
また、距離調整部材１０における第１パート１１は、載置部１に形成された凹部３と係合可能となっており、第１パート１１、第２パート１２および第３パート１３は、面ファスナー１５、１６、１７、１８の作用により互いに連結される構成であることから、距離調整部材１０を構成する第１パート１１、第２パート１２および第３パート１３を容易に固定することが可能となる。
【００３５】
なお、被検者Ｍの身長が大きな場合には、距離調整部材１０を構成する第１パート１１、第２パート１２および第３パート１３を、載置部１上において互いに離隔した位置に配置することにより、被検者Ｍの身長に対応することも可能となる。この場合においても、距離調整部材１０を構成する第１パート１１、第２パート１２および第３パート１３の下面を、載置部１に対する摩擦係数が大きなものとすることにより、第１パート１１、第２パート１２および第３パート１３を互いに離隔して配置した場合においても、載置部１上における第１パート１１、第２パート１２および第３パート１３の移動を抑制することが可能となる。
【００３６】
なお、距離調整部材１０における第２パート１２は、図３に示す距離調整部材１０を使用しない状態と、図７に示す距離調整部材１０を使用した状態の両方で検査を行うことにより、被検者Ｍの乳房全域を検査可能となるような厚みとする必要がある。この厚みは、例えば、７センチメートル程度である。このとき、被検者Ｍの乳房の垂下状態が被検者Ｍによって大きく異なる場合に対応するため、厚さの異なる複数の第２パート１２を準備してもよい。
【符号の説明】
【００３７】
１      載置部
２      開口部
３      凹部
４      本体
５      放射線検出部
６      コンソール
７      モニター
８      病院内ネットワーク
９      放射線の検出範囲
１０    距離調整部材
１１    第１パート
１２    第２パート
１３    第３パート
１４    開口部
１５    面ファスナー
１６    面ファスナー
１７    面ファスナー
１８    面ファスナー
Ｍ      被検者
【図１】
2019105539.tif 000003
【図２】
2019105539.tif 000004
【図３】
2019105539.tif 000005
【図４】
2019105539.tif 000006
【図５】
2019105539.tif 000007
【図６】
2019105539.tif 000008
【図７】
2019105539.tif 000009